(57)【要約】【課題】簡単な構造で座面部の位置を適宜変更することができる、座いすを提供する。【解決手段】座いす１０は、合成樹脂材料で形成され、その表面に複数の平面状部を有するブロック体１２を含む。ブロック体１２の少なくとも２つの平面状部１２ａ，１２ｂには、クッション性を有する矩形プレート状の座面部１４，１６が配設される。ブロック体１２および座面部１４，１６を覆うようにして、たとえば袋状の被覆カバー１８が配設される。【選択図】図２
2005080907.tif 000002
【特許請求の範囲】
【請求項１】
合成樹脂材料で形成され、その表面に複数の平面状部を有するブロック体、
前記ブロック体の少なくとも２つの前記平面状部に配設され、クッション性を有する座面部、および
前記ブロック体および前記座面部を覆うように配設される袋状の被覆カバーを含むことを特徴とする、座いす。
【請求項２】
前記ブロック体および／または前記座面部は、前記被覆カバーから出し入れ自在に配設されることを特徴とする、請求項１に記載の座いす。
【請求項３】
前記被覆カバーの一部に把持部が配設されることを特徴とする、請求項１または請求項２に記載の座いす。
【請求項４】
前記ブロック体が発泡樹脂材料で直方体状に形成され、前記座面部が前記ブロック体よりも弾性を有する発泡樹脂材料で平面状に形成される、請求項１〜請求項３のいずれかに記載の座いす。
【発明の詳細な説明】
【技術分野】
【０００１】
この発明は、座いすに関し、特にたとえば、携帯に簡便な座いすに関する。
【背景技術】
【０００２】
本願発明の背景となる従来の携帯用折畳式座椅子は、長方形の座板と、座板の裏面に形成される接続枠と、接続枠の表面８ヶ所で柔軟性を有する接続片により接続される４枚の脚板とを含む。４枚の脚板は、両端にかん合溝を有する相対する２枚の脚板と、該かん合溝に挿入するかん合鍔を有する他の相対する２枚の脚板とで構成される。４枚の脚板は、それぞれ、四隅部で該かん合溝と該かん合鍔とがかん合され、床面に対する自立用基部が形成される。
この携帯用折畳式座椅子では、４枚の脚板の折畳時に脚板相互の干渉防止のため、下側になる２枚の脚板が、上側となるかん合溝を有する脚板の先端部に当らないよう、該先端部より前側が幅広に形成され、最後に上側になるかん合溝を有する脚板が、相対する脚板より幅広に形成され、これを外側より押える構造となっている。さらに、かん合溝を有する２枚の脚板が接続される座板の接続枠部分は、他の２枚の脚板が接続される部分より高く形成され、下側になる２枚の脚板を押え込む構造となっている。
そして、この携帯用折畳式座椅子では、脚板のかん合溝を離脱させ、脚板を前後方向より折畳んで携帯用とするものである。この場合、かん合溝を有する２枚の脚板がそれぞれの面上の円柱突起と円形穴により連結され、他の４枚の脚板は押さえ込まれるように構成される（特許文献１参照。）。
【０００３】
この従来の携帯用折畳式座椅子では、４枚の脚板のかん合力を保持するため、かん合溝の深さと長さを充分とり且つ床面に接する４枚の脚板の占有面を広くすることで、衝撃や体の偏芯荷重による脚部の不安定を解消している。
【０００４】
【特許文献１】実開平５−８０３４０号公報（第４−５頁、図１、図２）
【発明の開示】
【発明が解決しようとする課題】
【０００５】
しかしながら、このような従来の携帯用折畳式座椅子では、それを使用する場合に、当然のことながら、該携帯用折畳式座椅子を折畳状態から組立てる手間を要し、さらに、４枚の脚板を折畳むための折畳構造が複雑なため、組立て作業等取扱いが煩雑なものとなっていた。また、この従来の携帯用折畳式座椅子では、構造上、座板部分だけが座面として特定されるため、たとえば座り心地を変えるために座面部の位置を変更するようなことができなかった。
しかも、この従来の携帯用折畳式座椅子では、床面に接する４枚の脚板で囲まれた自立用基部の下端面が床面に部分的に当接するため、この従来の携帯用折畳式座椅子をたとえば和室の畳面に設置する場合には、畳面を傷つける恐れがあった。その上、座板部分は、床面に接する４枚の脚板で囲まれた自立用基部よりも外側に出っ張るため、必要以上にスペースをとることになり、座椅子の設置場所によっては不具合を生じることがあった。
【０００６】
それゆえに、この発明の主たる目的は、簡単な構造で座面部の位置を適宜変更することができる、座いすを提供することである。また、この発明の他の目的は、設置面を傷つける恐れがなく、且つ、設置スペースも必要以上にとることのない、座いすを提供することである。
【課題を解決するための手段】
【０００７】
請求項１にかかる本願発明は、合成樹脂材料で形成され、その表面に複数の平面状部を有するブロック体と、ブロック体の少なくとも２つの平面状部に配設され、クッション性を有する座面部と、ブロック体および座面部を覆うように配設される袋状の被覆カバーとを含むことを特徴とする、座いすである。
請求項１にかかる発明の座いすは、上記構成によって簡単な構造を有するので、取扱いが煩雑なものではなく容易である。また、この座いすは、少なくとも２つの座面部を有するので、座面部の位置を適宜変更することが可能となる。そのため、この座いすの使用者が、１つの座面部にたとえば長時間着座して、疲れたり、すわり心地が悪くなった場合、該使用者は、いままで着座していた座面部に変えて他の座面部に着座できるように、座いすを配置すればよい。
【０００８】
請求項２にかかる本願発明は、請求項１にかかる発明に従属する発明であって、ブロック体および／または座面部は、被覆カバーから出し入れ自在に配設されることを特徴とする、座いすである。
請求項２にかかる発明の座いすは、上記構成を有するので、座面部の配設位置が適宜変更可能となる。この場合、該座いすの設置場所等設置環境に応じて、該座いすの座面を変更することによって、着座したときのすわり心地に変化を与えることが可能となる。
また、被覆カバーを色彩やデザインの相違する略同形同大の別の被覆カバーと取替えることによって、座いすの装飾性に多様な変化を付与することが可能となる。そのため、たとえば冠婚葬祭その他の種々の行事に応じた座いすを提供することが可能となる。
さらに、被覆カバーの中からたとえば座面部だけを取出すことも可能となるので、長期間この座いすを使用して座面部のクッション性が低下した場合でも、新たな座面部と取替えることにより、クッション性の低下も防止される。
また、たとえば被覆カバーの中からブロック体および座面部を取出した後、該被覆カバーだけを簡単に洗濯することも可能となる。この場合、取出したブロック体および座面部が損傷していたなら、それらを新たなものと取替えることも可能となる。
請求項３にかかる本願発明は、請求項１または請求項２にかかる発明に従属する発明であって、被覆カバーの一部に把持部が配設されることを特徴とする、座いすである。
請求項３にかかる発明の座いすは、上記構成を有するので、把持部により該座いすの携帯がより簡便なものとなる。
請求項４にかかる本願発明は、請求項１〜請求項３のいずれかにかかる発明であって、ブロック体が発泡樹脂材料で直方体状に形成され、座面部がブロック体よりも弾性を有する発泡樹脂材料で平面状に形成される、座いすである。
請求項４にかかる発明の座いすは、上記構成によって直方体状のブロック体を有するので、たとえばブロック体の６つの面が長方形状に形成され、且つ、該６面の隣合う面に座面部が配設された場合、座面部の高さおよび座面部の面積が変更可能となる。この場合、該座いすの設置スペース等の設置環境、あるいは、該座いすが用いられる種々の行事等の使用環境に応じて、座面部の配置を適宜変更することが可能となる。
さらに、ブロック体が直方体状に形成され、座面部が平面状に形成されるので、６面のいずれの面を該座いすの設置面側に配置したとしても、該座いすは面全体で設置面に当接される。そのため、この座いすが設置される設置面を傷つける恐れがない。この場合、ブロック体よりも弾性を有する複数の座面部の内の１つを設置面側に配置すれば、より一層効果的となる。また、該座いすでは、ブロック体および座面部が発泡樹脂材料で形成されるとともに、ブロック体が直方体状に、座面部が平面状に形成されるため、該座いす全体が軽量でコンパクトな形状となり、持ち運びが容易である。
【発明の効果】
【０００９】
この発明によれば、簡単な構造で座面部の位置を適宜変更することができる、座いすが得られる。また、この発明によれば、設置面を傷つける恐れがなく、且つ、設置スペースも必要以上にとることのない、座いすが得られる。
【００１０】
この発明の上述の目的，その他の目的，特徴および利点は、図面を参照して行う以下の発明を実施するための最良の形態の説明から一層明らかとなろう。
【発明を実施するための最良の形態】
【００１１】
図１は、この発明にかかる座いすの一例を示す斜視図であり、図２は、図１の線Ａ−Ａにおける断面図である。また、図３は、図１および図２に示す座いすの被覆カバーを開いた状態の斜視図である。
座いす１０は、合成樹脂材料で形成され、その表面に複数の平面状部を有するブロック体１２を含む。本実施例では、たとえば、ブロック体１２が発泡スチロール等の発泡樹脂材料で直方体状に形成される。ブロック体１２は、６つの面がそれぞれ長方形状に形成される。ブロック体１２の少なくとも２つの平面状部１２ａおよび１２ｂには、それぞれ、座面部１４および１６が配設される。ブロック体１２の６つの面（平面状部）の内、隣合う２つの面（平面状部１２ａ，１２ｂ）に、座面部１４および１６が配設される。座面部１４は、ブロック体１２の長手方向の一方の側面全面を覆うように配設され、もう１つの座面部１６は、該座面部１４と隣合う４つの面の内の１つの面全面を覆うように配設される。座面部１４および１６は、それぞれ、ブロック体１２よりも弾性を有する発泡樹脂材料で形成される。本実施例では、座面部１４および１６が例えばスポンジ状の発泡ウレタンフォームで矩形プレート状に形成される。
【００１２】
この場合、座面部１４の厚み方向の長さと座面部１６の厚み方向の長さとは、略同じに形成される。また、座面部１４の幅方向の長さは、ブロック体１２の平面状部１２ａの幅方向の長さと略同じ長さに形成される。座面部１４の長手方向の長さは、ブロック体１２の平面状部１２ａの長手方向の長さよりも、座面部１４の厚み方向の長さ分だけ、長く形成される。さらに、座面部１６の幅方向の長さは、ブロック体１２の平面状部１２ｂの幅方向の長さと略同じ長さに形成される。座面部１６の長手方向の長さは、ブロック体１２の平面状部１２ｂの長手方向の長さと略同じ長さに形成される。
【００１３】
座面部１４および１６は、それぞれ、ブロック体１２の平面状部１２ａおよび１２ｂに重ね合わすようにして配設される。この場合、座面部１４は、たとえば図２に示すように、ブロック体１２の平面状部１２ａの下端縁から下側に突出するが、この突出分の長さは、座面部１６の厚さ方向の長さ分に相当する。そのため、座面部１６をブロック体１２の平面状部１２ｂに配設した場合、図２で見て、座面部１４の下端面と座面部１６の下端面とが、略同一面上に配置され、座いす１０全体の下端面が略平坦面となる。
【００１４】
ブロック体１２および座面部１４，１６は、例えば図１，図３に示すように、袋状の被覆カバー１８によって覆われる。被覆カバー１８は、ブロック体１２および／または座面部１４，１６を出し入れ自在にする例えば矩形状の開放部１８ａを有する。被覆カバー１８は、布，皮等で形成された生地２０が適宜な縫製により開放部１８ａを有するように直方体袋状に形成される。この場合、生地２０は、ブロック体１２および座面部１４，１６を組合せた状態の直方体形を被覆できるように展開された形状に裁断された後、適宜、縫着部２２に沿って直方体状に縫着される。
【００１５】
本実施例では、図３に示すように、被覆カバー１８の開放部１８ａを介して、たとえばブロック体１２および一方の座面部１４が露出可能なように配置される。この開放部１８ａは、閉塞手段により閉塞可能となる。すなわち、被覆カバー１８の開放部１８ａの周囲には、図２および図３に示すように、開放部１８ａの周縁部に沿って矩形状の折返し片２４，２６，２８および３０が配設される。折返し片２４，２６，２８の外面側には、それぞれ、該折返し片２４，２６，２８の長手方向に沿って、閉塞手段として、たとえば面ファスナ２４ａ，２６ａ，２８ａが配設される。同様に、折返し片３０の内面側には、開放部１８ａ側の辺部を除く３辺部の端縁部に沿って、且つ、所定の幅をもって、たとえば面ファスナ３０ａが配設される。
【００１６】
この場合、折返し片２４を座面部１４の上面側に載置し、折返し片２６をブロック体１２の上面側に載置した後、折返し片２４，２６の長手方向の一方側の上に折返し片２８を載置し、さらに、その上から、折返し片３０を被せて、面ファスナ２４ａ，２６ａ，２８ａと面ファスナ３０ａとを係止させることによって、被覆カバー１８の開放部１８ａが開閉可能に閉塞させることができる。
【００１７】
また、本実施例では、被覆カバー１８の一部にたとえば布製の把持部３２が配設される。把持部３２は、たとえば図１，図２，図３に示すように、座面部１４と対向するブロック体１２の面側に配設される。把持部３２は、図１，図３に示すように、縫着部３４に沿って縫着される。
【００１８】
本実施例の座いす１０は、被覆カバー１８の中にブロック体１２および座面部１４，１６を取出し自在に収納した構造を有するため、たとえば［特許文献１］の従来技術と比べて、取扱いが煩雑なものではなく至極簡単である。また、この座いす１０は、少なくとも２つの座面部１４，１６を備えるため、座面部の位置を適宜変更することができる。例えば、この座いす１０の使用者が、１つの座面部１４に長時間着座して、疲れたり、すわり心地が悪くなった場合でも、使用者は、着座していた座面部１４に変えて他の座面部１６に着座できるように、座いす１０の設置方向を変えるだけで、それらの不具合を解消することができる。
【００１９】
さらに、本実施例の座いす１０では、座面部１４，１６の位置を適宜変更することができる。つまり、座いす１０の設置場所等設置環境に応じて、座いす１０の座面を変更することによって、着座したときのすわり心地に変化を与えることが可能となる。また、被覆カバー１８を色彩やデザインの相違する略同形同大の別の被覆カバーと取替えることによって、座いす１０の装飾性に多様な変化を付与することもできる。したがって、本実施例の座いす１０は、たとえば冠婚葬祭その他の種々の行事に応じて、適宜、用いることができる。
【００２０】
さらに、被覆カバー１８の折返し片３０の面ファスナ３０ａを折返し片２４，２６，２８の面ファスナ２４ａ，２６ａ，２８ａから離間させることによって、開放部１８ａの閉塞状態が解除される。そのため、被覆カバー１８の中からたとえば座面部１４だけを取出すことも可能となるので、長期間、座いす１０を使用して座面部１４のクッション性が低下した場合でも、新たな座面部と取替えることにより、クッション性の低下も防止することができる。また、被覆カバー１８の中からブロック体１２および座面部１４，１６を取出した後、被覆カバー１８だけを簡単に洗濯することもできる。さらに、取出したブロック体１２および座面部１４，１６が損傷していたなら、それらを新たなものと取替えることができる。
【００２１】
さらに、本実施例の座いす１０では、ブロック体１２の隣合う面に座面部１４，１６が配設されているので、座面部１４を使用者が着座する着座部として使用する場合と、座面部１６を使用者が着座する着座部として使用する場合とで、座面部（着座面）の高さおよび座面部（着座面）の面積とを適宜変更することができる。すなわち、座いす１０の設置スペース等の設置環境、あるいは、座いす１０が用いられる種々の行事等の使用環境に応じて、座面部（着座面）の配置を適宜変更することができる。
しかも、本実施例の座いす１０では、ブロック体１２が直方体状に形成され、座面部１４，１６が平面状に形成されるので、６面のいずれの面を座いす１０の設置面側に配置したとしても、座いす１０は面全体で設置面に当接される。したがって、この座いす１０が設置される設置面を傷つけることがない。この場合、ブロック体１２よりも弾性を有する座面部１４，１６の内の１つを設置面側に配置すれば、より一層効果的である。
【００２２】
また、座いす１０では、ブロック体１２および座面部１４，１６が発泡樹脂材料で形成されるとともに、ブロック体１２が直方体状に、座面部１４，１６が平面状に形成されるため、座いす１０全体が軽量でコンパクトな形状となり、持ち運びが大変容易である。その上、本実施例の座いす１０では、把持部３２が配設されるため、該把持部３２により座いす１０の持ち運びがより一層簡便なものとなる。
【００２３】
本実施例において、ブロック体１２の平面状部１２ａおよび１２ｂを座面部１４および１６に配設する手段としては、たとえば座面部１４および１６を該平面状部１２ａおよび１２ｂに単に当接配置させ、ブロック体１２と被覆カバー１８との間で挟持する方法が採用され得る。この場合、被覆カバー１８の中からブロック体１２および座面部１４，１６を取出した後、ブロック体１２に対する座面部１４および１６の配置を別の配置に変更することができる。
また、ブロック体１２の平面状部１２ａおよび１２ｂを座面部１４および１６に配設する手段としては、接着剤等により座面部１４および１６を平面状部１２ａおよび１２ｂに固着する方法が採用され得る。
なお、前者ないし後者のいずれの方法においても、座面部１４および１６は、それぞれを別個に配置するようにしてもよく、また、座面部１４および１６をたとえばＬ字状に接着剤等で接着したものを配置するようにしてもよく、さらに、座面部１４および１６をたとえばＬ字状に一体的に成形加工したものを配置するようにしてもよい。
【００２４】
さらに、本実施例では、開放部１８ａを閉塞する閉塞手段として、たとえば面ファスナ２４ａ，２６ａ，２８ａおよび３０ａが配設されたが、閉塞手段としては、面ファスナに限定されるものではなく、たとえばボタン、ホック、フック、磁石等も適宜用いることが可能である。
【００２５】
また、本実施例の座いす１０では、ブロック体１２がたとえば直方体状に形成されたが、ブロック体１２の形状はそれに限定されるものではなく、たとえば図４（Ａ），（Ｂ）に示すように、円柱状および３角柱状等、複数の平面状部を有するものであれば、種々の断面形状を有する角柱状に形成されてもよく、また、図５に示すように、円板状に形成されてもよい。
【産業上の利用可能性】
【００２６】
この発明にかかる座いすは、例えば屋内、屋外で催される冠婚葬祭等、種々の行事の際に用いられる座いすに好適なものでる。
【図面の簡単な説明】
【００２７】
【図１】この発明にかかる座いすの一例を示す斜視図である。
【図２】図１の線Ａ−Ａにおける断面図である。
【図３】図１および図２に示す座いすの被覆カバーを開いた状態の斜視図である。
【図４】この発明にかかる座いすの他の例を示す斜視図である。
【図５】この発明にかかる座いすのさらに他の例を示す斜視図である。
【符号の説明】
【００２８】
１０  座いす
１２  ブロック体
１２ａ，１２ｂ  平面状部
１４，１６  座面部
１８  被覆カバー
２０  生地
２２，３４  縫着部
２４，２６，２８，３０  折返し片
２４ａ，２６ａ，２８ａ，３０ａ  面ファスナ
３２  把持部
【図１】
2005080907.tif 000003
【図２】
2005080907.tif 000004
【図３】
2005080907.tif 000005
【図４】
2005080907.tif 000006
【図５】
2005080907.tif 000007